(57)【特許請求の範囲】
【請求項１】
カメラ本体と一体の第１筒の内側に配置されており第１モータの回転方向に対応して第１レンズ群と共に光軸に沿って往復作動し該第１筒から被写体側へ出入りする第２筒と、前記第２筒に固定されていて焦点調節時に該第２筒上で前記第１レンズ群を光軸に沿って往復作動させる第２モータと、前記第２モータに一端が接続されていてカメラ本体への取付部との間に所定の間隔で交互に相反する方向へ折り曲げられた複数の折曲部を有している折り畳み可能な帯状のフレキシブルプリント配線板と、シャッタ装置を取り付けて前記第１筒の内側に配置されており前記第１モータの回転方向に対応して光軸に沿って往復作動する枠体と、を備えていて、前記枠体には前記フレキシブルプリント配線板の幅と略同じ長さのスリットが形成されており、前記フレキシブルプリント配線板は、該スリットに挿通されていて、前記折曲部の一つが該スリット位置となるようにして前記枠体に取り付けられ、前記一端側と前記取付部側の両方で各々折り畳み可能にしたことを特徴とするカメラ用レンズ鏡胴。
【請求項２】
前記フレキシブルプリント配線板は、幅方向の両側に、各々、前記折曲部の一つを間にした二つの突部を有していて、各々の二つの突部で前記枠体を挟むようにして取り付けられていることを特徴とする請求項１に記載のカメラ用レンズ鏡胴。
【請求項３】
前記枠体は、前記シャッタ装置のほかに第２レンズ群を取り付けていて、前記第１筒内において光軸に沿って移動可能に配置されており、前記第１モータによって、前記第１レンズ群との間隔を変え得るように構成されていることを特徴とする請求項１又は２に記載のカメラ用レンズ鏡胴。
【発明の詳細な説明】
【技術分野】
【０００１】
本発明は、鏡胴内にシャッタ装置を取り付けていて、被写体側に取り付けられているレンズ群を、その近傍位置に取り付けたモータによって移動させ、焦点調節を行うようにした沈胴式のカメラ用レンズ鏡胴に関する。
【背景技術】
【０００２】
被写体側に配置されている第１レンズ群と、その後方に配置されている第２レンズ群との間隔を変えることによってズーミングを行うようにし、その第２レンズ群の後方に配置されている第３レンズ群を移動させることによって、焦点調節を行うようにしたカメラ用レンズ鏡胴が、下記の特許文献１などによって知られている。そして、そのような構成のレンズ鏡胴の場合には、その特許文献１にも記載されているように、ズーミング用のモータと焦点調節用のモータは、通常は、カメラ本体（カメラボディー）内や、鏡胴本体のカメラ本体に近いところに配置されている。
【０００３】
このような構成に対し、焦点調節用の第３レンズ群を設けずに、上記の構成の第１レンズ群又は第２レンズ群を焦点調節用として兼用させるようにすることが知られている。その場合、焦点調節用のモータは、その兼用させるレンズ群を取り付けた筒体に固定されていて、ズーミングに際しては、その筒体ごとレンズ群と共に移動させられ、焦点調節に際しては、その筒体上でレンズ群のうちの一部又は全部のレンズを移動させるようにしている。そのため、この種のレンズ鏡胴の場合は、焦点調節用モータを電源につなぐためのフレキシブルプリント配線板が鏡胴内に配置されていて、そのモータが筒体と共にカメラ本体側へ移動したときには、鏡胴内でたるまされたり、折り畳まれたりするようにしている。
【０００４】
また、特許文献１に記載のレンズ鏡胴もそうであるが、レンズ鏡胴の中には、カメラの不使用時にはカメラ本体内に格納され、使用に際してだけ引き出されるようにした、いわゆる沈胴式といわれているレンズ鏡胴が知られている。そして、この形式のレンズ鏡胴の場合にも、ズーム機能を備えているかどうかに関係なく、カメラの使用時と不使用時とでは、焦点調節用のレンズとカメラ本体との相対位置が大きく変化してしまうものがある。そのため、そのような構成をしていて、なおかつ焦点調節用のレンズを取り付けた移動可能な筒体に焦点調節用のモータを固定するようにしたレンズ鏡胴の場合には、上記のように鏡胴内にフレキシブルプリント配線板を配置することがある。そして、そのようにした場合の一例が、下記の特許文献２に記載されている。
【０００５】
更に、レンズ鏡胴の中には、鏡胴内にシャッタ装置を配置したものが知られている。その場合、通常は、鏡胴内でのレイアウトを考慮して、特許文献１に記載されている構成のように、シャッタ装置を、第１レンズ群の後方に配置された枠体に取り付けているのが普通である。そのため、特許文献１に記載のレンズ鏡胴において、焦点調節用の第３レンズ群を設けなくても済むようにするためには、焦点調節用のモータを、シャッタ装置を取り付けている枠体に取り付けるのではなく、第１レンズ群を取り付けた筒体に固定し、第１レンズ群を、焦点調節時においても移動させるようにするのが好ましい。本発明は、このように、鏡胴内にシャッタ装置を取り付けているレンズ鏡胴において、シャッタ装置よりも被写体側に存在するレンズ群の近傍に焦点調節用のモータが配置されていて、電源接続用のフレキシブルプリント配線板を、鏡胴内において、カメラ本体まで這わせており、そのモータとシャッタ装置を取り付けた枠体との距離、及びその枠体とカメラ本体との距離が変化しうるように構成されている沈胴式のカメラ用レンズ鏡胴に関するものである。
【０００６】
【特許文献１】特開２００３−５７７０５号公報
【特許文献２】特開２００４−１６３７４８号公報
【発明の開示】
【発明が解決しようとする課題】
【０００７】
沈胴式のカメラ用レンズ鏡胴の場合、これまでは、シャッタ装置を取り付けている枠体の外形近傍領域に切り欠き状の逃げ部を形成し、フレキシブルプリント配線板を、その逃げ部をくぐらせるようにして鏡胴内に配置していた。ところが、そのような逃げ部は、フレキシブルプリント配線板が好適にたるんだり折り畳み得るようにするために、比較的大きく形成されているため、シャッタ羽根が撮影光路を閉鎖しているときに、第１レンズ群から入射した光が、その逃げ部を通ってカメラ本体側に回り込んでしまうようになっていた。そのため、銀塩フィルムカメラに採用する場合は、そのように迂回してきた光によってフィルムが感光してしまわないようにするための対策が非常に大変であった。また、デジタルカメラに採用する場合には、撮影が終了して撮像情報を記憶装置に転送するとき、周知のスミア現象を生じさせないようにするための対策が非常に大変であった。
【０００８】
本発明は、このような問題点を解決するためになされたものであり、その目的とするところは、シャッタ装置を取り付けた枠体と、その枠体より被写体側に配置されたレンズを取り付けている筒体とが、光軸に沿って移動可能であり、且つ、該筒体に対して該レンズを光軸に沿って移動させるためのモータが、該筒体に取り付けられている構成をした沈胴式のレンズ鏡胴において、一端を該モータに接続されている帯状のフレキシブルプリント配線板が、シャッタ羽根の閉鎖状態において、該レンズから入射した光が該枠体の後方にあるカメラ本体側に進行するのを防止し得るようにして、鏡胴内に配置されたカメラ用レンズ鏡胴を提供することである。
【課題を解決するための手段】
【０００９】
上記の目的を達成するために、本発明のカメラ用レンズ鏡胴は、カメラ本体と一体の第１筒の内側に配置されており第１モータの回転方向に対応して第１レンズ群と共に光軸に沿って往復作動し該第１筒から被写体側へ出入りする第２筒と、前記第２筒に固定されていて焦点調節時に該第２筒上で前記第１レンズ群を光軸に沿って往復作動させる第２モータと、前記第２モータに一端が接続されていてカメラ本体への取付部との間に所定の間隔で交互に相反する方向へ折り曲げられた複数の折曲部を有している折り畳み可能な帯状のフレキシブルプリント配線板と、シャッタ装置を取り付けて前記第１筒の内側に配置されており前記第１モータの回転方向に対応して光軸に沿って往復作動する枠体と、を備えていて、前記枠体には前記フレキシブルプリント配線板の幅と略同じ長さのスリットが形成されており、前記フレキシブルプリント配線板は、該スリットに挿通されていて、前記折曲部の一つが該スリット位置となるようにして前記枠体に取り付けられ、前記一端側と前記取付部側の両方で各々折り畳み可能にする。
【００１０】
その場合、前記フレキシブルプリント配線板は、幅方向の両側に、各々、前記折曲部の一つを間にした二つの突部を有していて、各々の二つの突部で前記枠体を挟むようにして取り付けられているようにすると、枠体へのフレキシブルプリント配線板の取付作業が簡単になり、コスト上でも有利になる。また、前記枠体は、前記シャッタ装置のほかに第２レンズ群を取り付けていて、前記第１筒内において光軸に沿って移動可能に配置されており、前記第１モータによって、前記第１レンズ群との間隔を変え得るように構成すると、ズーミングを行える沈胴式のレンズ鏡胴として好適なものになる。
【発明の効果】
【００１１】
本発明は、シャッタ装置を取り付けた枠体と、その枠体より被写体側に配置されているレンズを取り付けた筒体とが、いずれも光軸に沿って移動可能であり、しかも、該筒体に対して該レンズを光軸に沿って移動させるためのモータが該筒体に取り付けられており、該モータにその一端を接続した帯状のフレキシブルプリント配線板が鏡胴内に配置されている構成をした沈胴式のレンズ鏡胴において、フレキシブルプリント配線板を、複数の折曲部を設けることによって折り畳み可能にし、上記の枠体に形成したスリットに挿通するようにすると共に、その折曲部の一つを、スリットの位置で枠体に取り付けるようにしたので、シャッタ羽根が閉鎖状態のときに、上記のレンズから入射した光がシャッタ装置を迂回して、該枠体よりも後方へ進行するのを好適に防止することが可能になる。
【発明を実施するための最良の形態】
【００１２】
本発明の実施の形態を、図示した実施例によって説明する。この実施例は、ズーム機能を備えた沈胴式のデジタルカメラに適用したものであるが、本発明は、ズーム機能を備えたものやデジタルカメラに限定されるものではない。尚、図１は、カメラの不使用状態（撮影レンズの沈胴状態）を示した断面図であり、図２は、実際には、図１において、レンズの手前側に重なるように配置されているリードスクリュー機構を理解できるようにするために、そのリードスクリュー機構をレンズの上方位置にずらして示した断面図である。また、図３は、撮影レンズを図１の位置からカメラの使用可能な位置に繰り出した状態（テレ状態）を示した断面図であり、図４は、撮影レンズのワイド状態を示した断面図である。更に、図５は、図１，図３，図４の各状態におけるフレキシブルプリント配線板の折り畳み状態を理解し易く示した説明図である。
【実施例】
【００１３】
先ず、本実施例の構成を、主に図１及び図２を用いて説明する。図示していないカメラボディに取り付けられているベース部材１は、後述のフレキシブルプリント配線板を挿通させるためのスリット１ａを形成していて、適宜な手段によって撮像装置２を取り付けている。周知のように、この撮像装置２は、ＣＣＤなどの固体撮像素子を備えていて、通常は、その被写体側に、ローパスフィルタなどのフィルタ板や、透明なカバー板を配置している。また、ベース部材１には、被写体側の面に、バリア羽根に開閉作動を行わせる柱状のカム部材が設けられているが、本発明とは直接関係がないので、図示を省略している。更に、このベース部材１には、鏡胴内に配置されているシャッタ装置やセンサに接続されたフレキシブルプリント配線板を挿通させるためのスリットも形成されているが、その図示も省略してある。
【００１４】
このベース部材１の被写体側の面には、図示していない手段によって、本発明の第１筒に相当する固定筒３が一体的に取り付けられている。そして、この固定筒３の内周面には、周知であるためその形状と配置を明示していないが、特許文献１にも記載されているように、等間隔の角度位置に、第１回転筒４が回転しながら光軸方向へも移動し得るようにするために、三つのカム溝３ａを形成しているが、図１においては、それらのうちの一つの断面形状だけが分かるように示してある。また、固定筒３の内周面には、第１回転筒４の移動に伴って第１キー筒５が光軸方向へ直線的に移動できるようにするために、光軸と平行な二つのキー溝３ｂが、カム溝３ａとは干渉しないようにして形成されているが、図１においては、それらのうちの一つだけが分かるように示してある。
【００１５】
更に、固定筒３には、図１の上方位置に、二つの張出部３ｃ，３ｄが形成されている。そして、それらの張出部３ｃ，３ｄに設けられた孔には、ベース部材１に立設された軸１ｂが挿入されていて、その軸１ｂには歯車６が回転可能に取り付けられ、その一部を固定筒３の内部に臨ませている。そして、この歯車６は、カメラボディ側に取り付けられている図示していないステップモータによって、減速歯車を介して回転させられるようになっている。
【００１６】
固定筒３の内側に配置されている上記の第１回転筒４は、ベース部材１側の端部に、所定の角度範囲で形成された部分歯車４ａを有していて、それを上記の歯車６に噛合させている。また、この第１回転筒４の外周面には、等間隔の角度位置に三つのピン４ｂが設けられていて、それらを固定筒３に設けられた上記のカム溝３ａに嵌合させているが、図１においては、それらのうちの一つのピン４ｂだけを示している。従って、この回転筒４は、図示していないステップモータによって、歯車６を介して回転させられると、カム溝３ａに案内されて光軸方向へも移動されるようになっている。そして、さらに、この第１回転筒４の内周面には、等間隔の角度位置に三つのキー溝４ｃが形成されているが、図１においては、それらのうちの一つだけを示してある。
【００１７】
第１回転筒４の内側に配置されている上記の第１キー筒５は、第１回転筒４が回転すると、光軸方向に直線的に移動するように構成されている。即ち、この第１キー筒５の被写体側の端部には、所定の角度位置に可撓性を有する複数のフック部５ａが形成されていて、それらを、第１回転筒４の内周に環状に形成されている溝に嵌合させている。また、この第１キー筒５には、撮像装置２側に二つのキー５ｂが形成されていて、それらを上記の固定筒３の二つのキー溝３ｂに嵌合させている。そのため、この第１キー筒５は、第１回転筒４が歯車６によって回転されながらカム溝３ａによって光軸方向へ移動するとき、第１固定筒３のキー溝３ｂに案内されて、光軸方向へだけ直線的に移動させられることになる。更に、この第１キー筒５には、等間隔の角度位置に三つのカム溝５ｃが形成され、内周面には二つのキー溝５ｄが形成されているが、図１においては、各々、それらのうちの一つだけが示されている。
【００１８】
第１キー筒５の内側には、第２キー筒７が配置されており、その内側には所定の間隔を空けて、第３キー筒８が配置されているが、これらの二つのキー筒７，８は、組立時に、図示していない手段によって一体化されている。そして、第２キー筒７には、等間隔の角度位置に三つのカム溝７ａが形成され、内周面には二つのキー溝７ｂが形成されているが、図１においては、各々、それらのうちの一つだけが示されている。また、第３キー筒８には、二つのキー８ａと、貫通した三つのキー溝８ｂと、複数のフック部８ｃとが形成されているが、図１においては、キー８ａとキー溝８ｂについては一つずつ、フック部８ｃについては二つが示されている。それらのうち、キー８ａは、第１キー筒５のキー溝５ｄに嵌合している。そのため、第２キー筒７と第３キー筒８とは、第１キー筒５に対して、光軸方向へ移動できるようになっている。
【００１９】
第２キー筒７と第３キー筒８の間には、第２回転筒９と直進筒１０が配置されている。そのうち、第３キー筒８側に配置されている第２回転筒９の外周面には、等間隔の角度位置に三つのピン９ａが設けられているが、図１には、そのうちの一つだけが示されている。そして、このピン９ａは、第２キー筒７のカム溝７ａと第１キー筒５のカム溝５ｃを貫通し、先端を第１回転筒４のキー溝４ｃに嵌合させている。また、この第２回転筒９の被写体側の端面には、第３キー筒８のフック部８ｃが係合している。そのため、この第２回転筒９は、第１回転筒４と共に同じ角度の回転をするが、光軸方向へは二つのキー筒７，８と共に同じ量の移動をするようになっている。そして、この第２回転筒９の外周面には、等間隔の角度位置に三つのカム溝９ｂが形成され、内周面にも、等間隔の角度位置に三つのカム溝９ｃが形成されている。
【００２０】
第２キー筒７と第３キー筒８の間において、第２キー筒７側に配置されている直進筒１０は、外周面に二つのキー１０ａを形成していて、内周面には三つのピン１０ｂを設けているが、図１においては、各々一つずつが示されている。そして、キー１０ａは、第２キー筒７のキー溝７ｂに嵌合し、ピン１０ｂは、第２回転筒９のカム溝９ｃに嵌合している。そのため、この直進筒１０は、第２回転筒９が回転すると、第２キー筒７のキー溝７ｂに案内されて、光軸方向へ直線的に移動するようになっている。そして、この直進筒１０は、被写体側に、撮影光路用の開口部を形成した壁部１０ｃを有していて、そこに種々の部材を取り付けているが、その構成については後述する。また、上記した第２回転筒９のカム溝９ｃには、枠体１１の外周面に等間隔に設けられた三つのピン１１ａが嵌合している。これらのピン１１ａは、第３キー筒８のキー溝８ｂを貫通した状態でカム溝９ｃに嵌合しているため、第２回転筒９が回転すると、枠体１１は、キー溝８ｂに案内され、光軸方向へだけ直線的に移動するようになっている。
【００２１】
この枠体１１には、シャッタ装置と第２レンズ群が取り付けられている。先ず、図示を省略されているシャッタ装置の概要を説明する。枠体１１の被写体側の面には、シャッタ羽根や絞り羽根を往復回転させるモータ等の駆動手段が取り付けられている。また、枠体１１の撮像装置２側には、所定の間隔を空けてカバー板１２が取り付けられており、それらの間に図示していないシャッタ羽根や絞り羽根を配置している。そのため、この枠体１１は、シャッタ装置という観点からはシャッタ地板であるともいえる。但し、このようには構成せず、シャッタ装置をユニットとして構成し、そのユニットを枠体１１に取り付けるようにしても構わない。次に、第２レンズ群１３は第２レンズ枠１４に取り付けられていて、その第２レンズ枠１４は枠体１１に取り付けられている。そして、枠体１１には、直線的にスリット１１ｂが形成されている。
【００２２】
次に、上記の直進筒１０に組み付けられている部材を順に説明する。先ず、上記の壁部１０ｃの被写体側には、所定の間隔を空けて、撮影光路用の開口部を有する前板１５が取り付けられており、壁部１０ｃと前板１５との間にバリア羽根の羽根室を構成しているが、レンズバリア装置は本発明とは直接関係がないので説明を省略する。また、図２に示すように、壁部１０ｃの撮像装置２側には、所定の間隔を空けて、モータ取付板１６が取り付けられており、そのモータ取付板１６の撮像装置２側には、ステップモータ１７が取り付けられ、ステップモータ１７の撮像装置２側には、軸受け板１８が取り付けられている。そして、壁部１０ｃとモータ取付板１６との間には、ステップモータ１７の出力軸に取り付けられた歯車１９が配置されている。
【００２３】
ステップモータ１７は、四つの端子ピン１７ａを有していて、帯状をしているフレキシブルプリント配線板２０の一端がそれらに接合されているが、図２においては、その接合部近傍のフレキシブルプリント配線板２０を省略して示してある。また、フレキシブルプリント配線板２０は、上記の枠体１１に形成されたスリット１１ｂに挿通され、その他端は、ベース部材１に形成されたスリット１ａから鏡胴外へ導き出され、図示されていない手段によってベース部材１に固定されている。このフレキシブルプリント配線板２０は、図５から分かるように、ステップモータ１７からベース部材１までの間に、交互に相反する方向へ折り曲げられる七つの折曲部を有していて、ステップモータ１７から数えて四つ目の折曲部が、枠体１１のスリット１１ｂ内となるようにしている。そして、図１及び図２に示されているように、本実施例の場合には、その折曲部がスリット１１ｂの位置からずれないようにするために、その折曲部の両側に幅方向へ張り出した突部２０ａを四つ形成しているが、それらの突部２０ａも当然のことながら可撓性を有しているので、スリット１１ｂをくぐらせることは可能になっている。
【００２４】
図２から分かるように、本実施例のリードスクリュー２１は、金属製であって、雄ねじ部２１ａを有しており、直進筒１０の壁部１０ｃに形成された孔と、軸受け板１８に形成された孔とによって回転可能となっている。また、このリードスクリュー２１に取り付けられている歯車２２は、壁部１０ｃとモータ取付板１６の間に配置されており、モータ取付板１６がその歯車２２を抑えるこよによって、リードスクリュー２１が壁部１０ｃの孔から抜けないようになっている。そして、このリードスクリュー２１は、壁部１０ｃに立設された軸１０ｄに対して回転可能に取り付けられている歯車２３を介し、上記の歯車１９によって回転させられるようになっている。
【００２５】
第１レンズ群２４を取り付けた第１レンズ枠２５は、壁部１０ｃに立設された図示していない案内ピンに案内されて、光軸方向へ移動可能になっていると共に、その移動によって、第１レンズ群２４の取付部が、壁部１０ｃに取り付けられている筒部材２６内を摺動するようになっている。また、図２に示されているように、第１レンズ枠２５には、金属製のナット部材２７が回転できないようにして取り付けられており、その雌ねじを、リードスクリュー２１の雄ねじ部２１ａに螺合させている。そのため、リードスクリュー２１が回転すると、第１レンズ群２４が光軸方向へ移動させられるようになっている。
【００２６】
次に、本実施例の作動を説明する。図１，図２，図５（ａ）は、カメラの不使用状態を示したものであって、第１レンズ群２４と第２レンズ群１３とは、固定筒３内に収容されており、所謂沈胴状態となっている。そして、このとき、図５（ａ）に示されているように、フレキシブルプリント配線板２０は、完全な折り畳み状態となっており、また、直進筒１０の壁部１０ｃと前板１５との間に配置されている図示していないバリア羽根は、第１レンズ群２４の前面を覆っている。
【００２７】
カメラを使用するに際して電源をオンにすると、図示していないステップモータが回転して、固定筒３に取り付けられている歯車６を回転させる。そのため、第１回転筒４は第２回転筒９を伴って、回転しながら被写体側にも移動させられるが、第１キー筒５，第２キー筒７，第３キー筒８，枠体１１，直進筒１０は、回転することなく被写体側に直進させられ、第１レンズ群２４と第２レンズ群１３を繰り出していく。このとき、二つの回転筒４，９と三つのキー筒５，７，８とは同じ速度で被写体側へ移動するが、枠体１１と直進筒１０はそれらよりも速く、さらに直進筒１０の方が枠体１１よりも若干速く移動する。また、この繰り出し作動の過程において、バリア羽根は、開き作動を行い、第１レンズ群２４の前面から退いて行く。
【００２８】
このようにして、繰り出し作動の終了した状態が、図３及び図５（ｂ）に示された初期状態（撮影待機状態）であり、本実施例の場合には、この初期状態のとき、撮影レンズ（第１レンズ群２４，第２レンズ群１３）は無限遠での撮影可能状態（テレ状態）となっている。また、図５（ｂ）から分かるように、このとき、フレキシブルプリント配線板２０は、枠体１１よりもステップモータ１７側は折り畳み状態のままであるが、ベース部材１側は展開状態となっている。
【００２９】
ところで、従来は、鏡胴内へのフレキシブルプリント配線板２０の配置を可能にするために、シャッタ装置を取り付けている枠体１１に、大きな切欠き部などを設けていたため、この状態のときにシャッタ羽根が閉じていても、第１レンズ群２４から入射した光のうちかなりのものが、上記の切欠き部などからシャッタ装置を迂回するようにして、撮像装置２側へ進行してしまうため、鏡胴内のあらゆるところで、遮光や反射防止の対策を講じていたが、本実施例の枠体１１の場合には、フレキシブルプリント配線板２０の配置を可能にするために、スリット１１ｂを形成しているだけであるから、従来に比較して、撮像装置２側へは殆ど進行させないようになっている。
【００３０】
このテレ状態での撮影を望まず、ズーミングを行って所望の画角を選択する場合には、撮影レンズと連動して作動させられるズームファインダを覗きながら、図示していない方のステップモータを正・逆転させ、直進筒１０と枠体１１とを光軸方向に同時に移動させることによって、第１レンズ群２４と第２レンズ群１３との相対位置関係を変えるようにする。図４及び図５（ｃ）は、そのようなズーミングによって、近接撮影可能状態（ワイド状態）にさせられた場合を示したものであるが、このときには、第１レンズ群２４と第２レンズ群１３の間隔が大きく離れており、フレキシブルプリント配線板２０は、枠体１１からステップモータ１７側の方が、ベース部材１側よりも大きな展開状態となっている。この状態の場合は、従来の構成に比較すれば、第１レンズ群２４から入射した光は、撮像装置２側へは殆ど進行しないことになる。また、この状態になると、スリット１１ｂと、フレキシブルプリント配線板２０の折曲部との位置がずれ易くなるが、本実施例の場合には、フレキシブルプリント配線板２０に四つの突部２０ａが形成されているので、そのような心配はない。
【００３１】
その後、撮影に際して、レリーズボタンを押すと、先ず、焦点調節が自動的に行われ、続いて、撮像装置２の固体撮像素子に対する撮影のための露光が行われる。そこで、先ず、焦点調節について説明する。焦点調節を行うには、ステップモータ１７を回転させて、直進筒１０に対する第１レンズ群２４の位置を変えることによって、第１レンズ群２４と第２レンズ群１３との相対位置を変えるようにする。即ち、ステップモータ１７が回転すると、その回転は、歯車１９から歯車２３を介して歯車２２に伝達され、リードスクリュー２１が回転させられる。そのため、ナット部材２７をかかえている第１レンズ枠２５が、リードスクリュー２１の回転方向に対応して、光軸に沿ったいずれかの方向へ、所定量だけ移動させられるようになっている。
【００３２】
このようにして、焦点調節が終了すると、撮像装置２による撮影が行われる。周知のように、この種のデジタルカメラの場合には、シャッタ羽根の作動は、二つのシーケンスのいずれかで行われる。その一つは、シャッタ羽根が、露光開口を閉鎖している状態をシャッタの初期状態とし、撮影に際しては、先ず、シャッタ羽根を全開にさせておいてから、撮影をスタートするようにしたノーマリークローズタイプと称されているものである。また、もう一つは、シャッタ羽根が、露光開口を全開にした状態をシャッタの初期状態とし、撮影は、その状態から直ちにスタートするようにしたノーマリーオープンタイプと称されているものである。本実施例は、上記したように、ズームファインダ（光学ファインダ）を備えているため、そのような構成の場合に採用されることの多いノーマリークローズタイプの場合で説明する。
【００３３】
上記のような焦点調節が行われているとき、又は焦点調節が終了したとき、図示していないシャッタ羽根は、駆動手段によって開き作動を行わされ、露光開口部を開いていくため、その時点から、撮像装置２の固体撮像素子は、第１レンズ群２４と第２レンズ群１３を通過してきた被写体光にさらされ、電荷が蓄積されていく。そして、シャッタ羽根が全開状態になると、それまでに固体撮像素子に蓄積されていた電荷が放出され、撮影のための電荷の蓄積が開始される。その後、所定の時間が経過すると、露光時間制御回路からの信号によって、シャッタ羽根は、駆動手段によって閉じ作動を行わされる。そして、シャッタ羽根が閉鎖状態になると、直ちに撮像情報が固体撮像素子から記憶装置に転送されるが、その転送時に、固体撮像素子に所定量以上の光が当たっていると、周知のようにスミア現象が生じて、良質の画像が得られなくなってしまう。ところが、本実施例の場合には、スリット１１ｂから殆ど光が入ってこないので、有害なスミア現象は発生しない。
【００３４】
このようにして、撮影が繰り返して行われ、その後は、もはや撮影をしないことになった場合は、カメラの電源スイッチをオフにするが、そのようにオフにした場合でも遅延回路が働いていて、所定の時間だけはオン状態が継続するようになっており、上記のオフ信号によって、上記のステップモータ１７と、もう一つの図示していないステップモータは、回転させられるようになっている。先ず、電源スイッチをオフにしたとき、第１レンズ群２４は、直前の撮影で動かされたままの位置になっている場合がある。そのため、その場合には、ステップモータ１７を回転させて第１レンズ枠２５を所定の位置に復帰させる。他方、もう一方の図示していないステップモータが回転させられると、歯車６を介し、第１回転筒４が、図１の状態から図３の状態にさせられたときとは逆方向に、連続的に回転させられる。そのため、各構成部材は、一旦図３に示された状態にさせられてから図１に示された沈胴状態に復帰する。そして、図３の状態から図１の状態に復帰するときには、図示していないバリア羽根も回転させられ、第１レンズ群２３の前面を覆った状態にさせられる。
【００３５】
尚、本実施例は、本発明を、レンズバリア装置とズームレンズを備えた沈胴式のデジタルカメラに適用した場合の一例であるが、本発明は、レンズバリア装置を備えていないカメラにも、ズームレンズを備えていないカメラにも適用することが可能であり、さらに銀塩フィルムカメラにも適用することができるものである。即ち、本実施例の場合には、枠体１１が、シャッタ装置のほかに第２レンズ群１３を取り付けていて、鏡胴内で往復作動可能となっているが、本発明は、そのような構成に限定されず、例えば、枠体１１が第２レンズ群１３を取り付けておらず、固定筒３又はベース部材１と一体化されている構成のレンズ鏡胴であっても構わない。
【図面の簡単な説明】
【００３６】
【図１】カメラの不使用状態（撮影レンズの沈胴状態）における実施例の断面図である。
【図２】実際には、図１において、レンズの手前側に重なるように配置されているリードスクリュー機構を理解できるようにするために、そのリードスクリュー機構をレンズの上方位置にずらして示した断面図である。
【図３】撮影レンズを図１の位置からカメラの使用可能な位置に繰り出した状態（テレ状態）を示す断面図である。
【図４】撮影レンズのワイド状態を示した断面図である。
【図５】図１，図３，図４の各状態におけるフレキシブルプリント配線板の折り畳み            状態を理解し易く示した説明図である。
【符号の説明】
【００３７】
１                            ベース部材
１ａ，１１ｂ                  スリット
１ｂ，１０ｄ                  軸
２                            撮像装置
３                            固定筒
３ａ，５ｃ，７ａ，９ｂ，９ｃ  カム溝
３ｂ，４ｃ，５ｄ，７ｂ，８ｂ  キー溝
３ｃ，３ｄ                    張出部
４                            第１回転筒
４ａ                          部分歯車
４ｂ，９ａ，１０ｂ，１１ａ    ピン
５                            第１キー筒
５ａ，８ｃ                    フック部
５ｂ，８ａ，１０ａ            キー
７                            第２キー筒
８                            第３キー筒
９                            第２回転筒
１０                          直進筒
１０ｃ                        壁部
１１                          枠体
１２                          カバー板
１３                          第２レンズ群
１４                          第２レンズ枠
１５                          前板
１６                          モータ取付板
１７                          ステップモータ
１７ａ                        端子ピン
１８                          軸受け板
１９，２２，２３              歯車
２０                          フレキシブルプリント配線板
２０ａ                        突部
２１                          リードスクリュー
２１ａ                        雄ねじ部
２４                          第１レンズ群
２５                          第１レンズ枠
２６                          筒部材
２７                          ナット部材
【図１】
0004703341.tif 000002
【図２】
0004703341.tif 000003
【図３】
0004703341.tif 000004
【図４】
0004703341.tif 000005
【図５】
0004703341.tif 000006